(57)【特許請求の範囲】
【請求項１】
液体を収容する筒状の胴部と、その胴部に連通する内筒およびその内筒を取り囲み、かつ前記胴部よりも小さい外径を有する外筒から構成されるノズル取付部とを具える液体貯留容器に取り付けられて使用され、ノズルから吐出される液体に関連する種々のパラメータを制御する手動スイッチ装置であって、
前記外筒の外周部に着脱可能に取り付けられるスイッチホルダーと、そのスイッチホルダーに固定されるスイッチ本体とから構成されており、
前記スイッチホルダーは、前記液体貯留容器の外筒が挿通できるような挿通孔を有し、かつその挿通孔の内壁の少なくとも一部が、前記外筒の外周部の少なくとも一部に当接されるように取り付けられる容器ホールド部と、前記スイッチ本体が固定されているスイッチホールド部とから構成されていることを特徴とする液体吐出制御用手動スイッチ装置。
【請求項２】
前記スイッチホルダーは、前記液体貯留容器の胴部と外筒との境界部分をなす段部に当接されるように構成されていることを特徴とする請求項１に記載の液体吐出制御用手動スイッチ装置。
【請求項３】
前記スイッチホールド部は、前記容器ホールド部から前記液体貯留容器の胴部の外周面の外側に沿って延設され、かつ前記スイッチ本体が固定されていることを特徴とする請求項１または２に記載の液体吐出制御用手動スイッチ装置。
【請求項４】
前記スイッチ本体を作動せしめるように、前記スイッチホールド部に対して回動可能に取り付けられた作動部材を有してなることを特徴とする請求項１または２に記載の液体吐出制御用手動スイッチ装置。
【請求項５】
前記作動部材は、前記スイッチホールド部に固定されたヒンジに対して、前記スイッチを作動せしめるような第１の位置と、その第１の位置から所定の角度だけ離れた第２の位置との間で回動できるように取り付けられた押板と、その押板から前記胴部の外周面の外側に沿って延設されている操作板とから構成されていることを特徴とする請求項４に記載の液体吐出制御用手動スイッチ装置。
【請求項６】
前記押板には、前記第２の位置を越えて回動しないように、ストッパーが設けられていることを特徴とする請求項５に記載の液体吐出制御用手動スイッチ装置。
【請求項７】
前記スイッチホールド部と前記押板との間には、前記押板が前記第１の位置まで回動しないように、その回動角度を抑制するストッパーが着脱可能に設けられていることを特徴とする請求項５に記載の液体吐出制御用手動スイッチ装置。
【請求項８】
前記容器ホールド部は、前記外筒の外径よりも小さい内径を有する挿通孔を有するとともに、その挿通孔の軸方向に沿ってワリが形成され、前記挿通孔内への前記外筒の挿入によって、前記ワリに隣接する容器ホールド部の内周面が前記軸方向から遠ざかるような方向に広げられ、かつ前記外筒の外周面の少なくとも一部に弾性復帰力によって当接されるように構成されていることを特徴とする請求項１から３までの何れか１項に記載の液体吐出制御用手動スイッチ装置。
【請求項９】
前記容器ホールド部には、その挿通孔の軸方向に垂直な方向にねじ穴が貫通して形成され、そのネジ穴には外側からボルトが螺入され、そのボルトの先端が挿通孔内に挿入される前記外筒の外周面の一部を、前記挿通孔の内周面の一部に押し付けて固定させるように構成されることを特徴とする請求項１から３までの何れか１項に記載の液体吐出制御用手動スイッチ装置。
【請求項１０】
前記容器ホールド部は、前記外筒の外周面の一部に接触するような凹曲面を有する一対の保持部材と、それらの保持部材間に配設された締付けボルトとを有し、その締付けボルトの一方向への回転により、一対の保持部材が互いに締付けられ、又はその締付けボルトの反対方向への回転により、一対の保持部材が互いに緩められることによって、前記スイッチホルダーの前記外筒への着脱が行われるように構成されていることを特徴とする請求項１から３までの何れか１項に記載の液体吐出制御用手動スイッチ装置。
【請求項１１】
前記容器ホールド部は、前記外筒の外周面の一部に接触するような第１の凹曲面を有する第１の保持部材と、前記外筒の外周面の他の一部に接触するような第２の凹曲面を有し、かつ外筒の挿入方向に平行に設けた軸周りに回動可能に配設された第２の保持部材と、その第２の保持部材を第１の保持部材に向けて常時付勢するばね手段とを有し、そのばね手段の付勢力により、第２の保持部材の第２の凹曲面が、第１の保持部材の第１の凹曲面に対向するような位置まで回動することによって、前記容器ホールド部の前記外筒への着脱が行われるように構成されていることを特徴とする請求項１から３までの何れか１項に記載の液体吐出制御用手動スイッチ装置。
【請求項１２】
液体が貯留されている筒状の液体貯留容器の一端をノズルに連通させ、一方、液体貯留容器の他端を所望の加圧エアを所望の時間だけ供給するように制御されるディスペンサーに連通させて構成した液体吐出システムにおいて、
前記ディスペンサーに電気的接続され、かつ前記ノズルから吐出される液体に関連する種々のパラメータを制御する液体吐出制御用手動スイッチ装置を、前記液体貯留容器のノズル取付部に取り付けており、
前記液体貯留容器は、液体を収容する筒状の胴部と、該胴部に連通する内筒および該内筒を取り囲み、かつ前記胴部よりも小さい外径を有する外筒から構成されるノズル取付部とから構成され、
前記液体吐出制御用手動スイッチ装置は、前記外筒の外周部に固定されたスイッチホルダーと、そのスイッチホルダーに固定されるスイッチ本体とから構成され、
前記スイッチホルダーは、前記液体貯留容器の外筒が挿通できるような挿通孔を有し、かつその挿通孔の内壁の少なくとも一部が、前記外筒の外周部の少なくとも一部に当接されるように取り付けられる容器ホールド部と、前記スイッチ本体が固定されているスイッチホールド部とから構成されていることを特徴とする液体吐出システム。
【請求項１３】
前記スイッチホルダーは、前記液体貯留容器の胴部と外筒との境界部分をなす段部に当接されるように構成されていることを特徴とする請求項１２に記載の液体吐出システム。
【請求項１４】
前記スイッチホールド部は、前記容器ホールド部から前記液体貯留容器の胴部の外周面の外側に沿って延設され、かつ前記スイッチ本体が固定されていることを特徴とする請求項１２または１３に記載の液体吐出システム。
【請求項１５】
前記スイッチ本体を作動せしめるように、前記スイッチホールド部に対して回動可能に取り付けられた作動部材を有してなることを特徴とする請求項１２または１３に記載の液体吐出システム。
【発明の詳細な説明】
【０００１】
【産業上の利用分野】
本発明は、液体貯留容器内に収容されている樹脂接着剤や導電性ペースト等の液体を吐出するときに使用する液体吐出制御用の手動スイッチ装置およびそれを用いた液体吐出システムに関する。
【０００２】
【従来技術】
従来の液体吐出システム１０としては、例えば、図１７に示すように、液体が貯留されている筒状の容器１２（以下、「液体貯留容器」という）の一端にはノズル１４を連通させ、他端には所望の圧力のエアを所望の時間だけ供給するディスペンサー１５を、エアチューブ１６とアダプター２０とを介して連通させるように構成され、ディスペンサー１５から供給されるエアを制御するための吐出スイッチ２２が電気コード２５によってディスペンサー１５に接続されているタイプのものがある。
【０００３】
このようなタイプの液体吐出システム１０を使用するときには、図１８に示すような液体貯留容器１２を片手に持ち、ノズル１４の吐出口を所望の吐出位置に配置させ、液体吐出スイッチ２２を押して、ディスペンサ１５を作動させ、エアの圧力により、液体貯留容器１２内部の液体をノズル１４の先端から吐出させるようになっている。
【０００４】
このようなシステムにおいては、図１９に示すように、作業者が吐出作業をしやすいように液体吐出スイッチ２２を液体貯留容器１２上に位置させて、その液体貯留容器１２を保持している片手で開閉動作を行うことが出来るようなスイッチ装置が存在する。
【０００５】
上記液体吐出システム１０において、液体貯留容器１２は使い捨てであることが一般的であり、また、その液体貯留容器１２は、吐出される液体の量や使用される環境などに合わせて、より精度の高い吐出が出来るように、幾種類かの形状やサイズのものが用意されている。そのため、液体吐出スイッチ２２は、使い回しが出来るように液体貯留容器１２に対して着脱可能に設けられ、また、どのサイズの液体貯留容器１２にも取り付けられることが望ましい。
【０００６】
このような従来の液体吐出システムにおける問題点を明らかにするために、まず、液体貯留容器に対するノズル取付機構について、以下に説明する。
【０００７】
液体貯留容器１２内の液体１１を吐出させるノズル１４は、図２１に示すように、後端部にツバ１７を有し、液体貯留容器１２のノズル取付部１８は、液体を貯留する筒状の胴部１３に連通している内筒１９と、この内筒１９を取り囲んでなる外筒２１とよりなる。この外筒２１の内壁部には、ノズルのツバ１７が嵌合または螺合する突起２３または溝が形成されている。ノズル１４を取り付ける際には、ノズル１４の内壁に内筒１９が収納され、ノズル１４の外壁がノズル取付部１８の外筒２１に収納されるように、ノズル１４を回転させながら押し込むことで、ノズル１４のツバ１７が外筒２１の内壁の突起２３または溝に嵌合または螺合して固定される（図２２参照）
【０００８】
液体貯留容器１２やノズル１４は共に、様々な形状や大きさのものがあるが、前述したように、液体貯留容器１２のノズル取付部１８と、ノズル１４のツバ部分１７の形状および大きさは、当業界においては、ほぼ共通化されており、様々な種類のノズル１４を様々な種類の液体貯留容器１２に取り付けられるようになっている。
【０００９】
このような液体吐出システムを使用するときは、操作者はノズル１４を取付けた液体貯留容器１２を片手に持って、ノズル先端を吐出または塗布したい位置に合わせ、液体貯留容器１２の胴部１３に固定された吐出スイッチ２２を押して、ノズル１４の先端から液体１１を吐出させる。
【００１０】
上記液体吐出システム１０におけるスイッチ装置は、図２０に示すように、スイッチ本体２４内に配設された電気スイッチ（図示せず）と、それを作動させる押しボタン２６とからなり、スイッチ本体２４には帯状の面状ファスナー２８が取り付けられた構成である。
このスイッチ装置２２は、押しボタン２６が押されたときに、電気接点がクローズされるタイプであり、帯状の面状ファスナー２４によって液体貯留容器１２の胴部１３に巻きつけられて固定される（図１９参照）。
【００１１】
そして、吐出作業を行う際には、まず、液体貯留容器１２をペンのように保持し、ノズル１４の吐出口を吐出したい場所に位置させ、人差し指でスイッチ本体２４の押しボタン２６を押して、吐出させる。その後、液体吐出を停止させたい時には、押しボタン２６から人差し指を離すことによって行われる。面状ファスナー２８は胴部１３に巻きつけて固定されているので、液体貯留容器１２の形状や大きさが異なっていても、スイッチ本体２４を着脱可能に取り付けることが出来る。
【００１２】
【発明が解決しようとする課題】
しかしながら、上記従来技術によるスイッチ装置には、以下のような間題点があった。
（１）  面状ファスナー２８を液体貯留容器１２の胴部１３に巻きつけて固定するだけなので、使用時間が経過するにつれて固定位置がずれてしまう。面状ファスナー２８は、液体貯留容器１２の胴部１３にしっかりと密着するように巻きつけ固定しないと、ずれやすく、相当慎重に巻きつけた場合でも、どうしても隙間が形成されてしまい、なかなか容易に密着させることが出来ないのが実状である。
【００１３】
（２）  このスイッチ装置２２を固定する際に、基準とする固定位置がないため、使用する毎に固定位置が異なり、一定でないということ。実際の吐出作業を手作業で行う場合には、その作業効率は作業者の個人的な技能に依存するところが大きく、そのため、吐出容器を手に持つたびに、スイッチ装置２２の固定位置が異なっていると、作業者が違和感を感じ、作業効率が落ちてしまうという問題があった。
【００１４】
（３）  押しボタン２６を押すのに必要以上に力がかかりすぎることがあるために、手元がぶれたり、指が疲れてしまって、押しボタン２６を押すたびに、液体貯留容器１２を保持している他の指も一緒に動いてしまい、所定の位置に液体を吐出しようとしても、その吐出位置がずれてしまうという問題があった。
【００１５】
（４）  液体貯留容器１２に面状ファスナー２８を巻きつけているので、透明または半透明の液体貯留容器１２を用いた場合においては、全周にわたって、液体貯留容器内の液体１１の様子を目視で確認できないという問題があった。
【００１６】
特に、液体貯留容器１２を手に持って使用する都合上、面状ファスナー２８は、液体貯留容器１２の胴部１３の先端近くに巻きつけることが多いので、液体貯留容器内部に残存する液体１１の量がどれ位なのかを事前に目視で確認することが出来ない。吐出中に液体が切れると、エア方式の場合は、エアが吐出口から吐き出され、そのときに、ノズル吐出ロから液体が周囲に飛び散り、塗布したい物体を汚してしまうことがある。したがって、このような状態を未然に防ぐことが難しくなる。
【００１７】
また、２種類の液体を混合させてなる液体、液状のものに粉状のものをかき混ぜてなる液体などは、均一に混合しているかどうかを目視にて確認する必要があるが、面状ファスナー２８の巻きつけによって、液体貯留容器１２の内部が見えないと、均一に混合されているかどうかを確認することが出来ない。
【００１８】
この面状ファスナー２８は、しっかりと固定しようとすると（それでも、ずれやすいという間題は起こってしまうが）、ある程度の幅が必要になり、内部が見えなくなる範囲が広くなってしまうという問題もあった。
【００１９】
そこで、本発明の目的は、従来技術が抱える上記問題点を克服することにあり、特に、大きさや形状の異なる液体貯留容器に着脱可能に取付けられ、取付け後に、固定位置がずれず、取付け毎に常に同じ固定位置に保持でき、スイッチを押したときに、手元がぶれず、透明または半透明の液体貯留容器を用いた場合でも、作業時に容器内部の液体の様子を目視することができるような液体吐出制御用手動スイッチ装置およびそれを用いた液体吐出システムを提供することにある。
【００２０】
【課題を解決するための手段】
本発明者は、上掲の目的を実現するために鋭意研究した結果、以下の内容を要旨構成とする発明に想到した。すなわち、
（１）本発明の液体吐出制御用手動スイッチ装置は、
液体を収容する筒状の胴部と、該胴部に連通する内筒および該内筒を取り囲み、かつ前記胴部よりも小さい外径を有する外筒から構成されるノズル取付部とを備える液体貯留容器に取り付けられて使用され、ノズルから吐出される液体に関連する種々のパラメータを制御する手動スイッチ装置であって、
前記外筒の外周部に着脱可能に取り付けられるスイッチホルダーと、そのスイッチホルダーに固定されるスイッチ本体とから構成されていることを特徴とする。
【００２１】
上記（１）に記載された液体吐出制御用手動スイッチ装置において、スイッチホルダーは、液体貯留容器の胴部と外筒との境界部分をなす段部に当接させるように構成されていることが望ましく、また、スイッチホルダーは、液体貯留容器の外筒が挿通できるような挿通孔を有し、かつその挿通孔の内壁の少なくとも一部が、外筒の外周部の少なくとも一部に当接されるように構成されている。
【００２２】
上記スイッチホルダーの形態としては、
（ａ）液体貯留容器の外筒が挿通できるような挿通孔を有し、かつその挿通孔の内壁の少なくとも一部が、外筒の外周部の少なくとも一部に当接されるように取り付けられる容器ホールド部と、スイッチ本体が固定されているスイッチホールド部とから構成される形態や、
（ｂ）液体貯留容器の外筒が挿通できるような挿通孔を有し、かつその挿通孔の内壁の少なくとも一部が、外筒の外周部の少なくとも一部に当接されるように取り付けられる容器ホールド部と、その容器ホールド部から液体貯留容器の胴部の外周面の外側に沿って延設され、かつスイッチ本体が固定されているスイッチホールド部とから構成される形態等がある。
【００２３】
上記スイッチホルダーが上記（ａ）の形態である場合には、スイッチホールド部に対して作動部材を回動可能に取付け、その作動部材の回動操作によってスイッチを作動せしめるように構成することが望ましい形態である。
【００２４】
上記スイッチ本体を作動させる作動部材は、スイッチホールド部に固定されたヒンジに対して、スイッチ本体を作動せしめるような第１の位置と、その第１の位置から所定の角度だけ離れた第２の位置との間で回動できるように取り付けられた押板と、その押板から液体貯留容器の胴部の外周面の外側に沿って延設されている操作板とから構成されていることが望ましい。
【００２５】
すなわち、上記作動部材は、回動可能な押板と、その押板から延設された操作板とから構成された作動板の形態に形成されるが、本発明にかかる作動部材の形態としては、このような作動板の形態に限らず、ヒンジ周りの回動操作によってスイッチ本体の開閉を行うことができるような構成であれば、どのような形態であっても良い。
【００２６】
また、上記押板には、第２の位置を越えて回動しないように、ストッパーが設けられていることが望ましく、さらに、スイッチホールド部と押板との間には、押板が第１の位置まで回動しないように、その回動角度を抑制するストッパーを着脱可能に設けることが望ましい。
【００２７】
上記スイッチホルダーが上記（ｂ）の形態である場合には、スイッチ本体を作動せしめる作動部材は不要であり、容器ホールド部から液体貯留容器の胴部の外周面の外側に沿って延設されたスイッチホールド部にスイッチ本体が固定される。
【００２８】
すなわち、上記（ａ）の形態である場合には、作業者の指操作をより一層容易にさせるために、スイッチホールド部に対して作動部材を回動可能に取付け、その回動操作によってスイッチの作動を行うことが可能であり、上記（ｂ）の形態である場合には、スイッチホールド部を容器ホールド部から液体貯留容器の胴部の外周面の外側に沿って延設させ、スイッチ本体をその延長されたスイッチホールド部に固定させることによって、作業者の指操作がより容易になるような所望の位置にスイッチ本体を固定させることができる。
【００２９】
上記（ａ）または（ｂ）の形態のスイッチホルダーにおいて、容器ホールド部は、外筒の外径よりも小さな内径を有する挿通孔を有するとともに、その挿通孔の軸方向に沿ってワリが形成され、挿通孔内への外筒の挿入によって、ワリに隣接する容器ホールド部の内周面が軸方向から遠ざかるような方向に広げられ、かつ外筒の外周面の少なくとも一部に弾性復帰力によって当接されるように構成されていることが望ましい。
【００３０】
また、上記容器ホールド部には、スイッチホルダーの挿通孔の軸方向に垂直な方向にねじ穴が貫通して形成され、そのネジ穴には外側からボルトが螺入され、そのボルトの先端が挿通孔内に挿入される外筒の外周面の一部を、挿通孔の内周面の一部に押し付けて固定させるように構成することもできる。
【００３１】
さらに、上記容器ホールド部は、ノズル取付部を構成する外筒の外周面の一部に接触するような凹曲面を有する一対の保持部材と、それらの保持部材間に配設された締付けボルトとを有し、その締付けボルトの一方向への回転により、一対の保持部材が互いに締付けられ、又はその締付けボルトの反対方向への回転により、一対の保持部材が互いに緩められることによって、スイッチホルダーの外筒への着脱が行われるように構成されていることが望ましい。
【００３２】
さらにまた、上記容器ホールド部は、ノズル取付部を構成する外筒の外周面の一部に接触するような第１の凹曲面を有する第１の保持部材と、外筒の外周面の他の一部に接触するような第２の凹曲面を有し、かつ外筒の挿入方向に平行に設けた軸の周りに回動可能に配設された第２の保持部材と、その第２の保持部材を第１の保持部材に向けて常時付勢するばね手段とを有し、そのばね手段の付勢力により、第２の保持部材の第２の凹曲面が、第１の保持部材の第１の凹曲面に対向するような位置まで回動することによって、スイッチホルダーの外筒への着脱が行われるように構成することもできる。
【００３３】
（２）本発明の液体吐出システムは、
液体が貯留されている筒状の液体貯留容器の一端をノズルに連通させ、一方、液体貯留容器の他端を、所望の加圧エアを所望の時間だけ供給するように制御されるディスペンサーに連通させて構成した液体吐出システムにおいて、
前記ディスペンサーに電気的接続され、かつ前記ノズルから吐出される液体に関連する種々のパラメータを制御する液体吐出制御用手動スイッチ装置を、前記液体貯留容器のノズル取付部に取り付けたことを特徴とする。
【００３４】
上記（２）に記載の液体吐出システムにおける液体貯留容器は、液体を収容する筒状の胴部と、その胴部に連通する内筒およびその内筒を取り囲み、かつ胴部よりも小さい外径を有する外筒から構成されるノズル取付部とから構成され、また液体吐出制御用手動スイッチ装置は、ノズル取付部を構成する外筒の外周部に固定されたスイッチホルダーと、そのスイッチホルダーに装着されるスイッチ本体とから構成される。
【００３５】
すなわち、本発明にかかる液体吐出システムは、上記（１）に記載されたような液体吐出制御用手動スイッチ装置を、液体貯留容器のノズル取付部に取付けたことを特徴とするものである。
【００３６】
【発明の実施の形態】
本発明による液体吐出制御用手動スイッチ装置は、液体貯留容器のノズル取付部を構成する外筒の外周部に着脱可能に取り付けられるスイッチホルダーと、そのスイッチホルダーに固定されるスイッチ本体とから構成されていることを特徴とする。
【００３７】
従来技術において、スイッチ装置を液体貯留容器に固定するのに面状ファスナーを利用していた理由は、形状や大きさが異なる吐出容器であっても固定できるからである。しかしながら、面状ファスナーを用いた固定では、固定位置がずれ易く、もっと確実に固定できるような手段で固定したいが、そのような固定手段は、同じ形状や大きさの液体貯留容器にしか固定できないものがほとんどであり、形状や大きさの異なる吐出容器に対応することが出来ない。そのため、固定があまり確実でない面状ファスナーを採用せざるを得なかった。
【００３８】
このような従来技術が抱える問題点は、スイッチ本体およびそれが取付られたスイッチホルダーからなる手動スイッチを、液体貯留容器のノズル取付部を構成する外筒に対して着脱可能に固定することによって解決された。
【００３９】
上記解決手段の採用は、液体貯留容器のノズル取付部の大きさおよび形状が、当業界においては、液体貯留容器の胴部の大きさおよび形状によらず、ほぼ一定であることに注目してなされたものである。
【００４０】
すなわち、液体貯留容器の胴部は、使用する液体の量等の条件によって、形状や大きさが異なってしまうが、そのノズル取付部は、さまざまなノズルを取り付けられるように、同一の大きさおよび形状になっているからである。実際に、当業界において使用されている液体貯留容器のノズル取付部の外壁の大きさや形状は、使用する液体量に拘らずほとんど一定に作られている。
【００４１】
したがって、スイッチ本体を液体貯留容器の胴部に固定するのではなく、ノズル取付部の外筒の外周部に着脱可能に固定することにより、大きさや形状が異なる液体貯留容器に対しても、面状ファスナーを使わず、より確実に固定できるので、液体貯留容器に吐出スイッチを取り付けた後に、吐出スイッチの固定位置が動いてしまうということはないのである。
【００４２】
ここで、本願発明にかかる「手動スイッチ装置」としては、例えば、「押しボタン形のスイッチ」のような、作業者の指操作に応じて機械的に接点の開閉を行うようなタイプのものに限らず、例えば、「タッチセンサー形のスイッチ」のように、作業者の指操作に応じて電気的に接点の開閉を行うようなタイプであっても良い。
【００４３】
いずれにしても、ノズルから吐出されまたは塗布される液体に影響を与えことなく、作業者の軽い指操作によって接点の開閉を行うことができ、かつノズル取付部に装着可能なサイズ、重量、および形態を有するスイッチであれば十分であり、特定のタイプのスイッチに制限されるものではない。
【００４４】
また、スイッチホルダーは、液体貯留容器の胴部ではなく、ノズル取付部に固定されるように形成されているので、液体貯留容器が透明・半透明の場合でも、液体貯留容器の内部状況を目視によって正確に把握することができる。
【００４５】
上記スイッチホルダーは、液体貯留容器の胴部と外筒との境界部分をなす段部に当接させるように構成されることが好ましく、これによって、液体貯留容器を交換する毎に行われるスイッチを固定する作業において、スイッチホルダーを液体貯留容器のノズル取付部のほぼ同一の位置に、固定することが出来るので、ノズルの吐出口に対して常に同じ位置に固定できる。
【００４６】
したがって、スイッチ本体が常に同じ位置に固定されることによって、手作業による吐出・塗布作業においては、作業者が液体貯留容器を手に持ったときの感覚が変わらないため、作業者の作業速度の遅延や失敗を回避することができる。
【００４７】
また、スイッチホルダーは、外筒が挿通できるような挿通孔を有し、かつその挿通孔の内壁の少なくとも一部が、外筒の外周部の少なくとも一部に当接されるように構成することが望ましい。
このような構成によれば、スイッチホルダーの一部に、固定手段としての機能の一部が付与され、場合によっては、特別な固定手段を用いる必要がなくなる。
【００４８】
上記スイッチホルダーの形態としては、たとえば、（ａ）液体貯留容器の外筒が挿通できるような挿通孔を有し、かつその挿通孔の内壁の少なくとも一部が、外筒の外周部の少なくとも一部に当接されるように取り付けられる容器ホールド部と、スイッチ本体が固定されているスイッチホールド部とから構成したり、また、（ｂ）液体貯留容器の外筒が挿通できるような挿通孔を有し、かつその挿通孔の内壁の少なくとも一部が、外筒の外周部の少なくとも一部に当接されるように取り付けられる容器ホールド部と、その容器ホールド部から液体貯留容器の胴部の外周面の外側に沿って延設され、かつスイッチ本体が固定されているスイッチホールド部とから構成することもできる。
【００４９】
上記スイッチホルダーが上記（ａ）の形態である場合には、スイッチ本体は、液体貯留容器のノズル取付部から比較的に近い位置に配置され、上記（ｂ）の形態である場合には、液体貯留容器のノズル取付部から比較的に離れた位置に配置されることになる。
【００５０】
上記スイッチホルダーが上記（ａ）の形態である場合には、スイッチホールド部に対して作動部材を回動可能に取付け、その作動部材の回動操作によってスイッチを作動せしめるように構成することが可能であり、この場合のスイッチ本体としては押しボタン形のスイッチが好ましい。
【００５１】
上記スイッチ本体を作動させる作動部材は、スイッチホールド部に固定されたヒンジに対して、スイッチ本体を作動せしめるような第１の位置と、その第１の位置から所定の角度だけ離れた第２の位置との間で回動できるように取り付けられた押板と、その押板から液体貯留容器の胴部の外周面の外側に沿って延設されている操作板とから構成されていることが望ましい。
【００５２】
上記スイッチ本体の開閉等の作動は、液体貯留容器を片手に持った状態で、作業者が人差し指で操作板を押すことによって行われる。すなわち、操作板が押されると、第２の位置にある押板がヒンジを中心にして第１の位置まで回動してスイッチに押圧力を与えることによって行われ、このスイッチ本体の作動中は、ノズル吐出口から液体が吐出されるように構成される。この実施形態においては、操作板を押す人差し指の力は、ヒンジを支点としたてこの作用により、極めて小さい力でも十分にスイッチを押すことが出来るようになっており、液体貯留容器のぶれを最大限に抑制できる。
【００５３】
このスイッチを構成する複数の接点は、スイッチホールド部に設けた電子回路上に電気的に接続されると共に、ディスペンサー内の制御回路に電気コードを介して電気的に接続され、押しボタンの作動または非作動によって、ノズルから液体を吐出させたり、その吐出を停止させたりするような吐出制御を行うように構成することが最もシンプルな実施の形態であるが、このような液体の吐出または停止だけでなく、液体の吐出量や、塗布形状、大きさ等の選択ができるように構成することもできる。
【００５４】
上記押しボタン形のスイッチを採用する場合には、作動板をヒンジに対して緩めに取付けることが望ましく、このように構成することによって、操作板を小さな力で押した場合でも、押板がスイッチを作動させる際の「カチッ」というクリック感が、作業者の指に直接的に伝わるので、必要以上に指に力を入れることもなくなるとともに、スイッチを押したことがわからずにストレスを感じることがなくなる。
【００５５】
上記作動板の形状は、少なくとも、スイッチが固定されるノズル取付部から離間した位置からでもスイッチ操作ができるように、必要に応じて種々の変形をすることができ、回動可能な押板と、その押板から延設された操作板とから構成された作動板に限らず、ヒンジ周りの回動操作によってスイッチ本体の開閉を行うことができるような構成であれば、どのような形態であっても良い。
【００５６】
また、上記押板には、第２の位置を越えて回動しないように、ストッパーが設けられていることが望ましく、液体の吐出作業中において、操作板が指が届かない位置に離れてしまうことを防止することができる。
【００５７】
さらに、スイッチホールド部と押板との間には、押板が第１の位置まで回動しないように、その回動角度を抑制するストッパーが着脱可能に設けられることが望ましく、液体の非吐出作業時において、押板がスイッチを押さないように作動板の動きを抑制することができる。これは液体の非吐出時において、作動板に何らかの障害物が当たった場合でも、スイッチが誤作動するのを防止することができる。
【００５８】
上記スイッチホルダーが上記（ｂ）の形態である場合には、スイッチ本体を作動せしめる作動部材は不要であり、容器ホールド部から液体貯留容器の胴部の外周面の外側に沿って延設されたスイッチホールド部にスイッチ本体が固定される。
【００５９】
すなわち、上記（ａ）の形態である場合には、作業者の指操作をより一層容易にさせるために、スイッチホールド部に対して作動部材を回動可能に取付け、その回動操作によってスイッチの作動を行うようにすることもでき、また上記（ｂ）の形態である場合には、スイッチホールド部を液体貯留容器の胴部の外周面の外側に沿って容器ホールド部から延設させ、スイッチ本体をその延長されたスイッチホールド部に固定させることによって、作業者の指操作が一層容易になるような所望の位置にスイッチ本体を固定させることができる。
【００６０】
このようなスイッチホールド部の延長された部分は、少なくともスイッチ本体が固定され得るとともに、スイッチ本体に電気的に接続される電気回路が形成され得る領域を有し、作業者の指操作が可能な範囲内まで延設されたものであれば、どのような形態であっても良い。たとえば、容器ホールド部から液体貯留容器の胴部の外周面の外側に沿って、断面がほぼL字形に延設された形態や、段状に延設された形態、滑らかな曲線を描いて延設された形態等を有して、細長の板状部材や棒状部材等によって形成され得るが、これらの形態に限定されるべきでなく、必要に応じて種々の変形した形態を採用することができる。
【００６１】
また、上記スイッチ本体として、少なくとも１つの操作部を有するタッチセンサー形のスイッチを採用した場合には、スイッチの操作部が作業者の吐出作業にとって最適な位置となるように延長部分の形態を変更することによって、スイッチ装置全体の構成も簡単になり、しかも極めて軽いタッチで接点の開閉を行うことができるだけでなく、複数のパラメータ制御を行うことができるというメリットがある。
【００６２】
上記（ａ）または（ｂ）の形態のスイッチホルダーにおいて、容器ホールド部は、外筒の外径よりも小さな内径を有する挿通孔を有するとともに、その挿通孔の軸方向に沿ってワリが形成され、挿通孔内への外筒の挿入によって、ワリに隣接する容器ホールド部の内周面が軸方向から遠ざかるような方向に広げられ、かつ外筒の外周面の少なくとも一部に弾性復帰力によって当接されるように構成されていることが望ましい。
【００６３】
上記容器ホールド部は、ノズル取付部を構成する外筒の外径よりも小さい内径を有する挿通孔を有するとともに、その挿通孔の軸方向に沿ってワリが形成され、挿通孔内への外筒の挿入によって、ワリに隣接するスイッチホルダーの内周面が軸方向から遠ざかるような方向に広げられ、かつ外筒の外周面の少なくとも一部に弾性復帰力によって当接されるように構成されていることが望ましい。
【００６４】
このような挿通孔およびワリを有する容器ホールド部は、それ自体で固定手段としての機能を有しており、また容器ホールド部の端部を液体貯留容器の胴部とノズル取付部の外筒との境界をなす段部に当接させた状態で固定することによって、スイッチホルダーをノズル吐出口に対して、常に同じ位置に固定することができる。
このような構成によれば、形状や大きさが異なる液体貯留容器でも、同一のスイッチホルダーを、ノズル取付部の外筒に着脱可能に、面状ファスナーよりも強い力で確実に保持することが出来る。
【００６５】
上記（ａ）または（ｂ）の形態のスイッチホルダーにおいて、容器ホールド部は、外筒の外径よりも小さな内径を有する挿通孔を有するとともに、その挿通孔の軸方向に沿ってワリが形成され、挿通孔内への外筒の挿入によって、ワリに隣接する容器ホールド部の内周面が軸方向から遠ざかるような方向に広げられ、かつ外筒の外周面の少なくとも一部に弾性復帰力によって当接されるように構成されていることが望ましい。
【００６６】
また、上記容器ホールド部には、スイッチホルダーの挿通孔の軸方向に垂直な方向にねじ穴が貫通して形成され、そのネジ穴には外側からボルトが螺入され、そのボルトの先端が挿通孔内に挿入される外筒の外周面の一部を、挿通孔の内周面の一部に押し付けて固定させるように構成することもできる。
【００６７】
さらに、上記容器ホールド部は、ノズル取付部を構成する外筒の外周面の一部に接触するような凹曲面を有する一対の保持部材と、それらの保持部材間に配設された締付けボルトとを有し、その締付けボルトの一方向への回転により、一対の保持部材が互いに締付けられ、又はその締付けボルトの反対方向への回転により、一対の保持部材が互いに緩められることによって、スイッチホルダーの外筒への着脱が行われるように構成されていることが望ましい。
【００６８】
さらにまた、上記容器ホールド部は、ノズル取付部を構成する外筒の外周面の一部に接触するような第１の凹曲面を有する第１の保持部材と、外筒の外周面の他の一部に接触するような第２の凹曲面を有し、かつ外筒の挿入方向に平行に設けた軸の周りに回動可能に配設された第２の保持部材と、その第２の保持部材を第１の保持部材に向けて常時付勢するばね手段とを有し、そのばね手段の付勢力により、第２の保持部材の第２の凹曲面が、第１の保持部材の第１の凹曲面に対向するような位置まで回動することによって、スイッチホルダーの外筒への着脱が行われるように構成することもできる。
【００６９】
なお、本発明の手動スイッチ装置において、上記スイッチホルダーを構成する容器ホールド部とスイッチホールド部とは、固定されるスイッチ本体の種類や、サイズ、形状、材質等に応じて、一体成形によって形成したり、また、互いに別体で成形した後に、接着剤やボルト等の適切な締結手段によって一体化することもできる。
【００７０】
以下、図１〜図１６に基づいて、本発明にかかる液体吐出制御用手動スイッチ装置の具体的な実施形態およびこの手動スイッチ装置を具えた液体吐出システムについて、詳細に説明する。
なお、図中、従来技術と同一または類似の部分は、同一の符号で示す。
【００７１】
図１および図２に示す手動スイッチ装置２２は、本発明にかかる液体吐出制御用手動スイッチ装置の第１の実施形態を示しており、直方体の形状のスイッチホールド部３０を有し、このスイッチホールド部３０は、側面３２に矩形の凹部３４を有するとともに、側面３２と直角な端面３６にはネジ孔３８が凹部３４に達するように貫通して設けられている。また、端面３６と対向する他の端面４０から凹部３４に達するような、電気コードを通過させる孔（図示せず）が設けられている。
【００７２】
押しボタン型のスイッチ２４は、その押しボタン２６が側面３２からわずかに突出するような状態で、凹３４内に固定される。このようなスイッチ２４の固定は、セットスクリュー４２をネジ孔３８に螺入させ、凹部３４内のスイッチ本体をセットスクリュー４２の先端が押さえつけるようにして行われる。このようなスイッチ２４に接続される電気コード２５は、コード孔を介して凹部３４の外側に延ばされて、図７に示すように、ディスペンサー１５に接続される。
【００７３】
上記スイッチホールド部３０の側面３２に設けた凹部３４の下辺の外側に沿って、ヒンジ４４が固定され、作動板５０はヒンジ４４を介して所定の角度範囲内で回動可能に取り付けられている。
この作動板５０は、スイッチホールド部３０の側面３２とほぼ同じ面積を有し、かつその一端がヒンジ４４に対して緩めに取付られている、スイッチ２４の押しボタン２６を作動させるための押板５２と、作業者が液体の吐出開始と吐出停止を指示するための操作板５４とから構成される。
【００７４】
操作板５４は、押板５２の一部がスイッチ２４の押しボタン２６を押したときの位置（第１の位置）においては、押板５２の上端からスイッチホールド部３０の側面３２から遠ざかるような方向に屈曲され、図７に示すような、液体貯留容器１０の胴部１３の外周面の外側に沿って延長された形態となっている。
【００７５】
また、押板５２のヒンジ４４側の下端の角部５３は、図３および図４に示すように、押板５２が第１の位置から所定の角度だけ回動した第２の位置になった場合に、スイッチホールド部３０の側面３２に当接して、ストッパーとして機能するように形成され、作動板５０が必要以上に回動しないように構成されている。
【００７６】
また、この実施形態において、吐出作業を停止している時には、図５および図６に示すようなクサビ型のストッパー５７を、押板５２とスイッチホールド部３０の側面３２との間に差し込むことにより、押板５２がスイッチ２４の押しボタン２６を押さないようにすることができ、それによって、誤作動を防止することが出来る。
【００７７】
さらに、操作板５４の表面には、複数個の短冊形の凸部５６が形成され、作業者がその人差し指で操作板５４を操作する際のすべり止めとして機能するように構成されている。
【００７８】
一方、スイッチホールド部３０の側面３２と反対側の側面には、ほぼ中空筒形の容器ホールド部３１が一体に設けられ、スイッチホールド部３０とともに、スイッチホルダー６０を構成している。
【００７９】
容器ホールド部３１の中央部には、液体貯留容器１０のノズル取付部１８の外筒２１が挿入されるような挿通孔３３が形成されるとともに、スイッチホールド部３０から最も離間した位置において、挿通孔３３の中心軸に平行なワリ３５が形成されている。
【００８０】
上記挿通孔３３の内径は、液体貯留容器１０のノズル取付部１８の外筒２１の外径よりも若干小さく形成されており、液体貯留容器１０のノズル取付部１８の外筒２１が挿入される際には、ワリ３５の両側に位置する容器ホールド部３１の内壁が、外筒２１の外周面を弾性的に押圧して、スイッチホルダー６０が液体貯留容器１０のノズル取付部１８にしっかりと固定されるようになっている。
なお、上記挿通孔３３のノズル取付部を差し込む側の内径を、出口側の内径よりも大きく形成することによって、ノズル取付部をより差し込みやすくすることが出来る。
【００８１】
上記手動スイッチ装置２２を液体貯留容器１２に対して固定するときには、まず、容器ホールド部３１の挿通孔３３に、ノズル１４が装着されている液体貯留容器１０のノズル取付部１８の外筒２１を挿入する。このとき、スイッチ装置２２のヒンジ４４を設けた側がノズル側（液体貯留容器１２の胴部１３から遠い側）にくるようにして挿入する。
【００８２】
その際、ワリ３５を挟んで対向する容器ホールド部３１の壁部が外側に広がるように変形しながら外筒２１が挿入される。すると、容器ホールド部３１にはその変形を元に戻そうとする弾性復元力が働いて、ノズル取付部１８の外筒２１を締め付けるような力が働き、ノズル取付部１８をしっかりと保持することが出来る。
【００８３】
また、容器ホールド部３１を、ヒンジ４４を設けた側と反対側の端部が、ノズル取付部１８の外筒２１と胴部１３との境界部において形成されている段差部に当接するまで挿入することで、このスイッチ装置２２を常に液体貯留容器１２上の同じ位置に固定できる。
【００８４】
以下、本発明の手動スイッチ装置２２を具える液体吐出システム１０の作用について、説明する。
吐出作業を開始するに当って、作業者は、図８に示すように、ぺンを持つのと同じように液体貯留容器１２を持ち、ノズル１４の先端にある吐出口を吐出場所に位置させた後、人差し指で作動板５０の操作板５４を容器側に押すと、押板５２がヒンジの周りに回動してスイッチ２４の押しボタン２６が押される。
【００８５】
このようなスイッチ操作によって、図７に示すように、電気信号が電気コード２５を介してディスペンサー１５に伝送され、そのディスペンサー１５から適切な圧力の加圧エアが、エアチューブ１６およびアダプター２０を介して液体貯留容器１２に供給され、その液体貯留容器１２内のエア圧力が所定値になった時に、ノズル先端から液体が吐出され、所望の場所に液体を吐出・塗布することができる。
【００８６】
本発明にかかる手動スイッチ装置の第１の実施形態によれば、以下のような効果を奏することができる。
（１）  作動板５０はヒンジ４４周りに回動され、てこの原理によって、非常に小さい力でスイッチ２４を押すことが出来るため、作業者が指に疲労を感じることがない。また、力がかかりすぎて、液体貯留容器１２がぶれて、吐出位置のずれが生じるといった不具合を解消することができる。
【００８７】
（２）  作動板５０の操作板５４には、滑り止めとしての凸部５６が形成されているので、人差し指でこの部分を押したときの、指の滑りを防止することができ、確実なスイッチング操作が可能となる。
（３）  作動板５０とヒンジ４４は、緩めに機械的結合されているので、人差し指で操作板５４を押した時に、押しボタンが開閉された振動が指に伝わりやすく、良好なクリック感を得ることが出来、作業時にストレスにならず、また、スイッチを押しすぎてぶれることもない。
【００８８】
（４）  作動板５０を構成する操作板５４は、押板５２から液体貯留容器１２の胴部１３の外周面の外側に沿って延設された形状に構成されているので、操作板５４の操作性を向上させることができる。
（５）  押板５２の下端部の角部５３が、押板５２が押しボタン２６を作動させるような第１の位置から所定の角度だけ回動した第２の位置になった場合に、スイッチホールド部３０の側面３２に当接して、作動板５０が必要以上に回動しないようにしている。これによって、吐出作業時に、作動板５０が、作業者の届かない位置まで開きすぎて、作業を煩わせたりすることがない。
【００８９】
（６）  押しボタン形スイッチ２４は、スイッチホールド部３０の凹部３４内にセットスクリュー４２によって固定されているだけなので、セットスクリュー４２を取り外すだけで、容易に交換可能である。スイッチ２４が故障した場合に、スイッチ装置全体を交換しなくても、スイッチ２４のみを交換すればよい。
（７）  挿通孔３３のノズル取付部を差し込む側の内径を、出口側の内径よりも大きく形成することにより、ノズル取付部をより差し込みやすくすることが出来る。
【００９０】
図９は、本発明の最も簡単な構成からなる第２の実施形態を示しており、容器ホールド部３１とスイッチホールド部３０が一体に形成され、押しボタン形スイッチ２４が、スイッチホールド部３０の凹部３４内にセットスクリュー４２によって固定されているが、ヒンジ４４および作動板５０が設けられていない。
【００９１】
この実施形態によれば、押しボタン２６の作動は、作業者の指によって直接行われるものであり、このような構成であっても、形状および大きさの異なる液体貯留容器１２に対して位置ずれがないように保持することができ、また、液体貯留容器１２を交換する毎に、ノズル取付部の同じ固定位置に取り付けることが出来る。
【００９２】
また、上記押しボタン形スイッチに代えて、少なくとも１つの操作部を有するタッチセンサー形のスイッチを設けることが、液体貯留容器のぶれを最小限に抑制する点から有利である。この場合には、スイッチ装置全体の軽量化を図ることができるとともに、極めて軽いタッチで接点の開閉を行うことができ、しかも複数のパラメータ制御を行うことができるというメリットもある。
【００９３】
図１０は、本発明にかかる手動スイッチ装置２２の第３の実施形態を示しており、スイッチホールド部３０の形態が、上記第２の実施形態と異なっている。
すなわち、スイッチホールド部３０は、容器ホールド部３１と一体に形成された断面がほぼＬ字形の延長部分５９を有して形成される。その延長部分５９は、液体貯留容器１２の胴部１３の外周面の外側に沿って延設され、タッチセンサー形のスイッチ５８がその延長部分５９に固定されている。
【００９４】
この実施形態は、特に、複数の操作部を有するタッチセンサー形のスイッチ５８が、スイッチホールド部３０の延長部分５９に固定されているので、液体貯留容器１２のぶれを最小限に抑制する点から有利であり、スイッチ装置全体の軽量化を図ることができるとともに、極めて軽いタッチで接点の開閉を行うことができ、しかも複数のパラメータ制御を行うことができるというメリットもある。
【００９５】
なお、延長部分５９は、断面がほぼL字形の形態に限られたものではなく、たとえば、容器ホールド部３１から液体貯留容器１２の胴部１３の外周面の外側に沿って段状に延設された形態や、滑らかな曲線を描いて延設された形態等を有し、板状部材や棒状部材等から形成することができ、ノズル取付部の近くから作業者の指操作が可能な範囲内まで延設されたものであれば、どのような形態であっても良い。
また、タッチセンサー形のスイッチ５８に代えて、押しボタン形のスイッチやその他のタイプのスイッチを延長部分５９に固定して設けることも可能である。
【００９６】
図１１および図１２は、本発明にかかる手動スイッチ装置２２の第４の実施形態を示しており、図１に示す実施形態と類似の構成であるが、容器ホールド部３１の形態が異なる点で相違する。この容器ホールド部３１は、ワリ３５の入った挿通孔３３をボルト６２によって締め付ける構造としたものである。
【００９７】
すなわち、容器ホールド部３１は、ノズル取付部１８の外筒２１の外周面の一部に接触するような凹曲面を有する一対の保持部材６４および６６と、それらの保持部材６４と６６との間に配設された締付けボルト６２とを有し、その締付けボルト６２の一方向への回転により、一対の保持部材６４および６６が互いに締付けられ、又はその締付けボルト６２の反対方向への回転により、一対の保持部材６４および６６が互いに緩められることによって、容器ホールド部３１の外筒２１への着脱が行われるように構成されている。
【００９８】
このような実施形態によれば、図１に示す実施形態が有する効果とほぼ同様の効果を得ることができ、特に、締付けボルト６２によって、容器ホールド部３１を外筒２１へ固定することができるので、より一層確実な着脱が可能となる。
【００９９】
さらに、図１３および図１４は、本発明にかかる手動スイッチ装置２２の第５の実施形態を示しており、図１に示す実施形態と類似の構成であるが、容器ホールド部３１の形態および容器ホールド部３１の外筒２１へ固定方法が異なる点で相違する。
【０１００】
すなわち、この容器ホールド部３１は、ほぼ直方体形状に形成され、そのほぼ中央部において、ノズル取付部１８の外筒２１の外径よりも大きな内径の挿通孔３３を有し、この容器ホールド部３１の側面から挿通孔３３の軸方向に垂直な方向にネジ孔７０を形成し、このネジ孔７０にボルト６８を外側から螺入させ、その螺入されたボルト６８の先端で挿通孔３３に挿入されたノズル取付部１８の外筒２１の外周面の一部を、挿通孔３３の内壁の一部に押し付けることによって、容器ホールド部３１の外筒２１への固定が行われるように構成されている。
【０１０１】
このような実施形態によれば、図１に示す実施形態が有する効果とほぼ同様の効果を得ることができる。
【０１０２】
また、図１５および図１６は、本発明にかかる手動スイッチ装置２２の第６の実施形態を示しており、図１に示す実施形態と類似の構成であるが、容器ホールド部３１の形態および容器ホールド部３１の外筒２１へ固定方法が異なる点で相違する。
【０１０３】
すなわち、この容器ホールド部３１は、ノズル取付部１８の外筒２１の外周面の一部に接触するような第１の凹曲面７１を有する第１の保持部材７２と、外筒２１の外周面の他の一部に接触するような第２の凹曲面７３を有し、かつ外筒２１の挿入方向に平行な軸部８０の周りに回動可能に配設された第２の保持部材７４とを有する。
【０１０４】
この第１の保持部材７２上に設けた軸部８０には、コイルスプリング７６が巻き付けられ、その一端部が第１の保持部材７２に固定されるとともに、その他端部が第２の保持部材７４に固定され、第２の保持部材７４が常時、第１の保持部材７２に向けて付勢されるようになっている。このコイルスプリング７６の付勢力により、第２の保持部材７４の第２の凹曲面７３が、第１の保持部材７２の第１の凹曲面７１に対向するような位置まで回動し、図１５に示すように、外筒２１の外周面が第１の凹曲面７１と第２の凹曲面７３とにより挟持されることによって、容器ホールド部３１の外筒２１への固定が行われるように構成される。
【０１０５】
このような実施形態によれば、図１に示す実施形態が有する効果とほぼ同様の効果を得ることができ、特に、容器ホールド部３１が２つの保持部材７２および７４から構成されるので、ノズル取付部１８の外筒２１への装着が容易になる。
【０１０６】
以上説明したように、本発明にかかる手動スイッチの種々の実施形態において、液体貯留容器１２の胴部の形状は、円筒形に制限されるものではなく、例えば、断面が矩形等の形状であってもよい。いずれの形状であっても、本発明にかかる手動スイッチは、そのような液体貯留容器の胴部に取付けられるものではなく、当業界において形状および大きさが一定であるノズル取付部にしっかりと固定されるように構成されることを本質とするものである。
【０１０７】
また、本発明にかかる手動スイッチは、液体の吐出および吐出停止というスイッチの開閉動作を行うだけのものではなく、それ以外の液体に関連する種々のパラメータ、例えば、吐出液体の吐出量や、塗布形状、大きさ等をコントロールする機能を付与することができることは勿論のことである。
【０１０８】
また、本発明にかかる液体吐出システムを構成するディスペンサーは、エア圧力によって直接的に液体を吐出させるようなタイプに制限されるべきではなく、例えば、エア圧力等の流体圧駆動によるプランジャーやピストンなどを用いて液体を押圧するようなタイプでもよい。
【０１０９】
【発明の効果】
以上説明したように、本発明によれば、手動スイッチ装置は、そのスイッチホルダーを液体貯留容器の胴部ではなく、ノズル取付部の外筒の外周面に着脱可能に固定されるように構成されるので、大きさや形状が異なる液体貯留容器に対しても、確実に固定できる。
【０１１０】
また、スイッチホルダーをノズル取付部の外筒と液体貯留容器の胴部との境界をなす段部に当接させて固定することができるので、液体貯留容器を交換する毎に、同一の位置に固定することが出来るため、作業者による吐出・塗布作業において、作業者の感覚が一定となり、作業速度が落ちることなく、失敗の確率も低くなる。
【０１１１】
さらに、スイッチホルダーをノズル取付部において固定することができるので、液体貯留容器が透明・半透明の材質から形成されている場合でも、従来技術のように液体貯留容器の内部が面状ファスナーによって見えなくなることがなく、液体の残量や、状態を目視で容易に確認することができる。
【０１１２】
さらにまた、ヒンジ周りに作動部材を回動させ、その回動操作によってスイッチの開閉を行うように構成した場合には、てこの作用によって、極めて小さい力でスイッチ作動が可能となり、ノズルのぶれを最小限に抑制することができる。
【０１１３】
したがって、本発明のような手動スイッチを具えた液体吐出システムは、その液体吐出を制御する手動スイッチが、液体貯留容器のノズル取付部に常時固定されているため、従来技術のような固定位置のずれに起因する種々のトラブルを解消することができるとともに、液体貯留容器内の液体の残存状態等を常時目視できるので、作業者の指操作による作業効率を大幅に向上させることができる。
【図面の簡単な説明】
【図１】本発明にかかる液体吐出制御用手動スイッチの第１の実施形態を示す斜視図である。
【図２】図１に示す実施形態において、ヒンジ周りに回動する作動板を省略した斜視図である。
【図３】マイクロスイッチの開閉位置を説明するための概略図である。
【図４】作動板に設けたストッパーを説明するための概略図である。
【図５】作動板とスイッチホールド部との間に配設される他のストッパーを説明するための斜視図である。
【図６】同じく図５に示すストッパーが挿入された状態を示す概略図である。
【図７】図1に示す手動スイッチを具えた液体吐出システムの概略図である。
【図８】図１に示す手動スイッチの使用状態を説明する概略図である。
【図９】本発明にかかる液体吐出制御用手動スイッチの第２の実施形態を示す斜視図である。
【図１０】本発明にかかる液体吐出制御用手動スイッチの第３の実施形態を示し、液体貯留容器に取付けられた状態を示す概略図である。
【図１１】本発明にかかる液体吐出制御用手動スイッチの第４の実施形態を示す斜視図である。
【図１２】図１１に示す液体吐出制御用手動スイッチの平面図である。
【図１３】本発明にかかる液体吐出制御用手動スイッチの第５の実施形態を示す斜視図である。
【図１４】図１３に示す液体吐出制御用手動スイッチの平面図である。
【図１５】本発明にかかる液体吐出制御用手動スイッチの第６の実施形態を示す平面図である
【図１６】図１５に示す液体吐出制御用手動スイッチの一対の保持部材の動作説明図である。
【図１７】一般的な液体吐出システムの概略図である。
【図１８】液体貯留容器の拡大された概略的斜視図である。
【図１９】液体貯留容器に従来の手動スイッチが固定された状態を示す概略的な斜視図である。
【図２０】従来の手動スイッチを示す概略図である。
【図２１】一般的な液体貯留容器とノズルとの関係を示す図である。
【図２２】液体貯留容器にノズルが取付けられた状態を示す図である。
【符号の説明】
１０ 液体吐出システム
１２ 液体貯留容器
１３ 胴部
１４ ノズル
１５ ディスペンサー
１６ エアチューブ
１８ ノズル取付部
１９ 内筒
２０ エアアダプター
２１ 外筒
２２ 手動スイッチ装置
２４ スイッチ本体
２５ 電気コード
２６ 押しボタン
３０ スイッチホールド部
３１ 容器ホールド部
３３ 挿通孔
３４ 凹部
３５ ワリ
４２ セットスクリュー
４４ ヒンジ
５０ 作動板
５２ 押板
５３ ストッパー
５４ 操作板
５６ 凸部
５７ クサビ形ストッパー
５８ タッチセンサー形スイッチ
５９ 延長部分
６２ ボルト
６４ 保持部材
６６ 保持部材
６８ ボルト
７１ 第１の凹曲面
７２ 第１の保持部材
７３ 第２の凹曲面
７４ 第２の保持部材
７６ コイルスプリング
８０ 軸部
【図１】
0004676108.tif 000002
【図２】
0004676108.tif 000003
【図３】
0004676108.tif 000004
【図４】
0004676108.tif 000005
【図５】
0004676108.tif 000006
【図６】
0004676108.tif 000007
【図７】
0004676108.tif 000008
【図８】
0004676108.tif 000009
【図９】
0004676108.tif 000010
【図１０】
0004676108.tif 000011
【図１１】
0004676108.tif 000012
【図１２】
0004676108.tif 000013
【図１３】
0004676108.tif 000014
【図１４】
0004676108.tif 000015
【図１５】
0004676108.tif 000016
【図１６】
0004676108.tif 000017
【図１７】
0004676108.tif 000018
【図１８】
0004676108.tif 000019
【図１９】
0004676108.tif 000020
【図２０】
0004676108.tif 000021
【図２１】
0004676108.tif 000022
【図２２】
0004676108.tif 000023